(57)【特許請求の範囲】
【請求項１】
二次側回路の出力電圧に応じて、ＩＣにより一次側回路の発振を制御するフィードバック制御を行う電源供給装置において、
前記二次側回路の出力電圧を監視し、同二次側回路の出力電圧が所定値以下となった場合に、前記ＩＣによる発振制御をリセットする減電検出回路と、
スタンバイ状態に移行した場合に、前記二次側回路の出力電圧を所定値まで低くなるよう、前記ＩＣを制御するスタンバイ状態移行回路と、
スタンバイ状態に移行した間は、前記減電検出回路の駆動を停止させる動作制御回路と、を有することを特徴とする電源供給装置。
【請求項２】
前記動作制御回路は、スタンバイ状態から通常動作状態に移行した場合は、前記減電検出回路の駆動を所定期間遅延させた後再開させることを特徴とする請求項１に記載の電源供給装置。
【請求項３】
前記減電検出回路は、二次側回路の出力電圧が所定値以下となった場合に、トランジスターをオンすることで、前記ＩＣに発振制御をリセットさせるリセット信号を出力し、
前記動作制御回路は、スタンバイ状態に移行すると、前記トランジスターをオフ状態に維持することで前記リセット信号の出力を停止させることを特徴とする請求項１又は請求項２のいずれか一項に記載の電源供給装置。
【請求項４】
電源投入操作を受付け、ハイレベルの起動信号を出力することで当該電源供給装置を通常起動状態とし、前記スタンバイ状態に移行する場合は前記起動信号をローレベルに変化させるメインコントローラーを有し、
前記動作制御回路は、前記トランジスターのベースとアノード側で接続し、前記メインコントローラーの起動信号出力端子とカソード側で接続するダイオードを備え、前記起動信号がローレベルになった場合は、前記ダイオードが降伏することで前記トランジスターをオフ状態に維持することを特徴とする請求項３に記載の電源供給装置。
【請求項５】
二次側回路の出力電圧に応じて、ＩＣにより一次側回路の発振を制御するフィードバック制御を行う電源回路を備える画像出力装置において、
前記電源回路は、
前記二次側回路の出力電圧を監視し、同二次側回路の出力電圧が所定値以下となった場合に、トランジスターをオンすることでリセット信号を出力し、前記ＩＣによる発振制御をリセットする減電検出回路と、
電源投入操作を受付け、ハイレベルの起動信号を出力して前記電源回路を通常起動状態とし、前記スタンバイ状態に移行する場合は前記起動信号ローレベルに変化させるメインコントローラーと、
前記メインコントローラーから出力される信号に応じて、前記二次側回路の出力電圧を所定値まで低くなるよう、前記ＩＣを制御するスタンバイ状態移行回路と、
前記トランジスターのベースとアノード側で接続し、前記メインコントローラーの前記起動信号出力端子とカソード側で接続するダイオードを備え、前記起動信号がローレベルに変化することで前記ダイオードを降伏させて前記トランジスターのオフ状態を維持することで、前記減電検出回路の駆動を停止させ、スタンバイ状態から通常動作状態に移行した場合は、前記減電検出回路の駆動を所定期間遅延させた後再開させる動作制御回路と、を有することを特徴とする画像出力装置。
【発明の詳細な説明】
【技術分野】
【０００１】
本発明は、電源を供給する電源供給回路に関し、特に、二次側回路の出力電圧に応じて一次側回路の出力電圧を調整する電源供給回路、及び画像出力装置に関する。
【背景技術】
【０００２】
従来、電源を供給するための電源供給装置が知られている。電源供給装置は、例えば、トランスにより一次側回路と二次側回路とが絶縁されて接続され、一次側回路で生成された電源をトランスを介して二次側回路に供給する。また、一次側回路は、直流電源を交流化させるブリッジ回路や、このブリッジ回路を発振制御するＩＣを備えており、上記ＩＣ及びブリッジ回路により生成した交流電源をトランスを介して二次側回路に供給する。
【０００３】
また、電源供給装置では、フィードバック回路や、減電検出回路を備え、二次側回路の出力電圧に応じて一次側回路の出力電圧を制御する。ここで減電検出回路は、商用電源の一時的な供給停止（以下、瞬停と記載する。）により、電源供給装置の負荷が低下した場合に、ＩＣの駆動をリセットして回路を保護する機能である（例えば、特許文献１−４参照。）。
【先行技術文献】
【特許文献】
【０００４】
【特許文献１】特開２００２−１７０８４号公報
【特許文献２】特開平７−２１２９６８号公報
【特許文献３】特開２００８−２１９６５８号公報
【特許文献４】登録実用新案公報（実用新案登録第３１２３１０６号）
【発明の概要】
【発明が解決しようとする課題】
【０００５】
電源供給装置はスタンバイ状態に移行すると、二次側回路の出力電圧を切り替え、消費電力（いわゆる待機電力）を低減させる。このスタンバイ状態では、二次側回路の出力電圧が低くなるため一次側回路の負荷が低くなり、場合によっては発振が停止することもある。上記した状態で減電回路が作動すると、一次側回路のＩＣはリセットするため、一旦は発振を再開するが、再度、負荷に応じて発振を再開させる。しかし、一次側回路の負荷は以前として低いままであるため、減電検出回路は再度、一次側回路のＩＣをリセットする。そのため、一次側回路での発振の再開、及び停止が繰返されることとなり、製品が通常動作状態に切り替わった場合でも、一次側回路の発振が継続されない場合があった。
【０００６】
本発明は、上記課題にかんがみてなされたもので、減電回路を備える電源供給装置において、一次側回路のどのような負荷に対しても正確に電源回路を動作させることが可能な電源供給装置、及び画像出力装置の提供を目的とする。
【課題を解決するための手段】
【０００７】
上記課題を解決するために、本発明では、二次側回路の出力電圧に応じて、ＩＣにより一次側回路の発振を制御するフィードバック制御を行う電源供給装置において、前記二次側回路の出力電圧を監視し、同二次側回路の出力電圧が所定値以下となった場合に、前記ＩＣによる発振制御をリセットする減電検出回路と、スタンバイ状態に移行した場合に、前記二次側回路の出力電圧を所定値まで低くなるよう、前記ＩＣを制御するスタンバイ状態移行回路と、スタンバイ状態に移行した間は、前記減電検出回路の駆動を停止させる動作制御回路と、を有する構成としてある。
【０００８】
上記のように構成された発明では、減電検出回路は、二次側回路の出力電圧を監視し、同二次側回路の出力電圧が所定値以下となった場合に、ＩＣによる発振制御をリセットし、スタンバイ状態移行回路は、スタンバイ状態に移行した場合に、二次側回路の出力電圧を所定値まで低くなるようＩＣを制御し、動作制御回路は、スタンバイ状態に移行した間は、減電検出回路の駆動を停止させる。
そのため、スタンバイ状態においては、減電検出回路の駆動が停止されるため、無負荷状態に起因する減電検出回路の誤動作を防止することができる。
【０００９】
また、動作制御回路の具体的な動作の一例として、前記動作制御回路は、スタンバイ状態から通常動作状態に移行した場合は、前記減電検出回路の駆動を所定期間遅延させた後再開させる構成としてもよい。
上記のように構成された発明では、スタンバイ状態から通常動作状態に移行する際の、負荷の変動により減電検出回路が誤動作することを防止することができる。
【００１０】
そして、前記減電検出回路は、二次側回路の出力電圧が所定値以下となった場合に、トランジスターをオンすることで、前記ＩＣに発振制御をリセットさせるリセット信号を出力し、前記動作制御回路は、スタンバイ状態に移行すると、前記トランジスターをオフ状態に維持することで前記リセット信号の出力を停止させる構成としてもよい。
上記のように構成された発明では、トランジスターを用いた簡易な構成により本発明を実現することができる。
【００１１】
そして、電源投入操作を受付け、ハイレベルの起動信号を出力することで当該電源供給装置を通常起動状態とし、前記スタンバイ状態に移行する場合は前記起動信号をローレベルに変化させるメインコントローラーを有し、前記動作制御回路は、前記トランジスターのベースとアノード側で接続し、前記メインコントローラーの前記起動信号出力端子とカソード側で接続するダイオードを備え、前記起動信号がローレベルになった場合は、前記ダイオードが降伏することで前記トランジスターをオフ状態に維持する構成としてもよい。
上記のように構成された発明では、メインコントローラーから出力される起動信号がローレベルになると、トランジスターが降伏してのトランジスターをオフ状態に維持するため、スタンバイ状態を信号レベルの変化に応じて検出し、減電回路を停止させることが可能となる。
【００１２】
さらに、本発明の他の構成として、二次側回路の出力電圧に応じて、ＩＣにより一次側回路の発振を制御するフィードバック制御を行う電源回路を備える画像出力装置において、前記電源回路は、前記二次側回路の出力電圧を監視し、同二次側回路の出力電圧が所定値以下となった場合に、トランジスターをオンすることでリセット信号を出力し、前記ＩＣによる発振制御をリセットする減電検出回路と、電源投入操作を受付け、ハイレベルの起動信号を出力して前記電源回路を通常起動状態とし、前記スタンバイ状態に移行する場合は前記起動信号ローレベルに変化させるメインコントローラーと、前記メインコントローラーから出力される信号に応じて、前記二次側回路の出力電圧を所定値まで低くなるよう、前記ＩＣを制御するスタンバイ状態移行回路と、前記トランジスターのベースとアノード側で接続し、前記メインコントローラーの前記起動信号出力端子とカソード側で接続するダイオードを備え、前記起動信号がローレベルに変化することで前記ダイオードを降伏させて前記トランジスターのオフ状態を維持することで、前記減電検出回路の駆動を停止させ、スタンバイ状態から通常動作状態に移行した場合は、前記減電検出回路の駆動を所定期間遅延させた後再開させる動作制御回路と、を有する構成としてもよい。
【発明の効果】
【００１３】
以上説明したように本発明によれば、無負荷状態に起因する減電検出回路の誤動作を防止することができる。
また請求項２にかかる発明によれば、スタンバイ状態から通常動作状態に移行する際の、負荷の変動により減電検出回路が誤動作することを防止することができる。
そして請求項３にかかる発明によれば、トランジスターを用いた簡易な構成により本発明を実現することができる。
さらに請求項４にかかる発明によれば、スタンバイ状態を信号レベルの変化に応じて検出し、減電回路を停止させることが可能となる。
【図面の簡単な説明】
【００１４】
【図１】表示装置の構成を説明するブロック図である。
【図２】起動信号の変化を示す波形図である。
【図３】電源回路９５の構成を説明するブロック構成図である。
【発明を実施するための形態】
【００１５】
以下、下記の順序に従って本発明の実施形態を説明する。
（１）第１の実施形態：
（２）その他の実施形態：
【００１６】
（１）第１の実施形態：
以下、第１の実施形態にかかる電源供給装置として、表示装置（画像出力装置）を例に説明を行う。なお、画像出力装置として表示装置を説明することは一例であり、本発明にかかる電源供給装置の機能を備える装置であればどのようなものであってもよい。
【００１７】
図１は、表示装置の構成を説明するブロック図である。表示装置１００は、以下の要部を備えて構成されている。符号９９はフロントエンド部であり、図示しない各種アンテナが受信した放送信号を復調する。符号９８は、バックエンド部であり、復調されたデータのスクランブル解除や、圧縮された映像・音声データの復号処理を行なう。符号９７はディスプレイであり、復号された映像データをもとに映像を表示する。符号９６は、メインコントローラーであり、表示装置１００の駆動を制御する。符号９５は、電源回路であり、表示装置１００を構成する各部に対して電源を供給する。
【００１８】
フロントエンド部９９は、各種アンテナが搬送波を受信すると、この搬送波に重畳した放送信号を変調して抽出する。また、フロントエンド部９９は、内部にリモコン装置からの選局信号に応じて作動する切り替え回路を備えており、この切り替え回路により所望のチャンネルに対応した放送信号をバックエンド部９８に出力する。
【００１９】
バックエンド部９８は、フロントエンド部９９で復調されたデータのスクランブル解除を行うとともに、ＭＰＥＧ方式で圧縮された映像・音声データの復号処理を行なう多重分離部を備えている。さらに、バックエンド部９８は、復号処理された映像データを信号処理する映像信号処理部を備えている。
【００２０】
ディスプレイ９７は、バックエンド部９８で復号された映像データをもとに映像を表示する。本実施形態では、ディスプレイ９７は液晶ディスプレイであり、図示しないバックライトからの光を透過させて映像を出力する。
【００２１】
メインコントローラー９６は、ＣＰＵや、ＲＯＭ、及びＲＡＭを備えて構成され、ＲＯＭに記憶された各種プログラムにより表示装置１００の駆動を制御する。また、メインコントローラー９６は、リモコン装置の操作等によりメイン電源の投入操作が行われると、起動信号（Ｐ−ＯＮ_Ｈ１、Ｐ−ＯＮ_Ｈ２）をハイレベルに変化させて、表示装置１００を通常動作状態に移行させる。ここで、Ｐ−ＯＮ_Ｈ１信号は、通常動作状態とスタンバイ状態との切り替えを行うための信号であり、ハイレベルに変化することで、表示装置１００の各部に電源を供給する通常動作状態に移行する。一方、Ｐ−ＯＮ_Ｈ２信号は、電源回路９５を上記通常動作状態からスタンバイ状態に切換えるための信号である。
【００２２】
図２は、起動信号の変化を示す波形図である。メインコントローラー９６は、メイン電源の投入操作を検出すると、Ｐ−ＯＮ_Ｈ２信号をハイレベルにし、その数ｍｓｅｃの遅延時間が経過した後、Ｐ−ＯＮ_Ｈ１信号をハイレベルに変化させる。一方、通常起動状態からスタンバイ状態に移行する場合は、Ｐ−ＯＮ_Ｈ２信号をローレベルにし、その数ｍｓｅｃの遅延時間が経過した後、Ｐ−ＯＮ_Ｈ１信号をローレベルに変化させる。
【００２３】
電源回路９５は、図示しない商用電源から供給された電源を整流して直流化した後、発振制御により交流電源を生成する。また、電源回路９５は、メインコントローラー９６から出力されるＰ−ＯＮ_Ｈ２信号によりスタンバイ状態に移行すると、出力電圧を低くし待機電力を軽減させる。また、本実施形態にかかる電源回路９５は、スタンバイ状態に移行すると、減電検出回路（後述）の動作を強制的に停止させ、無負荷時における電源回路９５の駆動を正常に保つ。以下、本発明にかかる電源回路９５の構成をより詳細に説明する。
【００２４】
＝＝＝電源回路９５の構成＝＝＝
図３は、電源回路９５の構成を説明するブロック構成図である。電源回路９５は、一次側回路８０と二次側回路７０とが、スイッチングトランスＴを介して接続して構成されている。また、電源回路９５は、電源回路が瞬停した場合に、一次側回路８０のコントロールＩＣをリセットさせる減電検出回路６０と、二次側回路７０の出力電圧に応じて電源回路９５をフィードバック制御するフィードバック回路５０と、表示装置１００がスタンバイ状態に移行すると、スタンバイ状態において減電検出回路６０の駆動を停止させる動作制御回路４０と、を備えて構成されている。
【００２５】
一次側回路８０は、以下の要部を備えて構成されている。符号８１は、コントロールＩＣであり、スイッチングトランスＴのブリッジ回路Ｂを発振制御する。このブリッジ回路Ｂはトランジスター等のスイッチング素子を備えて構成され、コントロールＩＣから出力される信号によりスイッチ素子を交互にオンさせて発振を行う。また、コントロールＩＣ８１は、フィードバック回路５０から出力されるフィードバック信号により二次側回路７０の負荷状態を検出し、検出された負荷に応じた発振制御を行う。更に、コントロールＩＣ８１は、二次側回路７０が無負荷状態である場合は、発振を一時的に停止する機能を備えている。
【００２６】
二次側回路７０は、以下の要部を備えて構成されている。符号７１は、第１電源供給部であり、スイッチングトランスＴの二次巻線Ｔ２から供給される電圧をダイオードＤ１及び平滑コンデンサーＣ１で整流・平滑してプラス電圧を出力する。また、符号７２は、第２電源供給部であり、スイッチングトランスＴの二次巻線Ｔ２から供給される電圧をダイオードＤ５で整流してプラス電圧を出力する。符号７３は、レギュレターＩＣであり、通常時は第１電源供給部７１から供給される電圧によりメインコントローラー９６に電源を供給し、スタンバイ状態では第２電源供給部７２から供給される電圧によりメインコントローラー９６に電源を供給する。
【００２７】
第１電源供給部７１は、通常動作状態では７ボルト程度の出力電圧をレギュレターＩＣ７３に供給するよう設定されている。また、第２電源供給部７２は、通常動作状態では３０ボルト程度の出力電圧を図示しない部位に供給するよう設定され、スタンバイ状態では、７ボルト程度の出力電圧をレギュレターＩＣ７３に供給するよう設定されている。
【００２８】
＝＝＝減電検出回路の構成＝＝＝
減電検出回路６０は、スイッチングトランスＴの二次巻線Ｔ２に接続され、マイナス電圧を発生させるマイナス電圧ライン６１と、メインコントローラー９６に接続され、３．３ボルトのプラス電圧を発生させるプラス電圧ライン６２と、瞬停時にマイナス電圧ライン６１から供給されるマイナス電圧が変動したことを検出して、一次側回路８０のコントロールＩＣ８１にリセット信号を出力するリセット信号出力部６３と、を備えて構成されている。
【００２９】
マイナス電圧ライン６１は、ダイオードＤ２によりスイッチングトランスＴの二次巻線Ｔ２に発生する負極性の電流にもとづいて整流を行い、平滑ダイオードＣ２により平滑して、マイナス電圧を発生させる。また、プラス電圧ライン６２は、メインコントローラー９６から供給される電圧によりプラス電圧を発生させる。
【００３０】
リセット信号出力部６３は、マイナス電圧ライン６１に発生するマイナス電圧及びプラス電圧ライン６２に発生するプラス電圧の時定数を設定する抵抗Ｒ１，Ｒ２並びにツェナーダイオードＤ３、及びマイナス電圧の変動によりコントロールＩＣ８１にリセット信号を出力するためのトランジスターＱ１と、を備えて構成されている。
【００３１】
リセット信号出力部６３は、通常動作状態では、マイナス電圧ライン６１とプラス電圧ライン６２の電位差がトランジスターＱ１のベースにベース電流を流さないよう設定されている。一方、瞬停時においては、一次側回路８０の駆動が停止するため、マイナス電圧ライン６１に供給される電圧が低下し、同マイナス電圧ライン６１のマイナス電圧が変動する。そのため、抵抗Ｒ２及びツェナーダイオードＤ３間での電位差が高くなり、トランジスターＱ１のベースにベース電流が流れる。そのため、コントロールＩＣ８１にはリセット信号が出力される。
【００３２】
＝＝＝動作制御回路の構成＝＝＝
動作制御回路４０は、ダイオードＤ４を備えて構成されている。ダイオードＤ４のアノードはリセット信号出力部６３のトランジスターＱ１のベースに接続され、カソードはメインコントローラー９６のＰ−ＯＮ_Ｈ１信号出力端子に接続され、メインコントローラー９６からＰ−ＯＮ_Ｈ１信号を受信する。そのため、Ｐ−ＯＮ_Ｈ１信号がハイレベルの場合、ダイオードＤ４のアノード／カソード間の電位差により、ダイオードＤ４には電流が流れない。一方、Ｐ−ＯＮ_Ｈ１信号がローレベルに変化するスタンバイ状態では、アノード／カソード間の電位差が変化し、ダイオードＤ４に電流が流れる。そのため、トランジスターＱ１のベースに電流が流れず、トランジスターＱ１をオフ状態に維持する。
【００３３】
フィードバック回路５０は、二次側回路７０の出力電圧に応じて一次側回路８０のコントロールＩＣ８１をフィードバック制御する。また、フィードバック回路５０は、メインコントローラー９６のＰ−ＯＮ_Ｈ２出力端子に接続されており、Ｐ−ＯＮ_Ｈ２信号がローレベルに変化すると、一次側回路８０をスタンバイ状態に移行させる。
【００３４】
フィードバック回路５０は、一次側回路８０のコントロールＩＣ８１に二次側回路７０の負荷（出力電圧）状況を伝えるフィードバック信号を出力するフォトカプラー５１と、フォトカプラー５１を導通させる導通切り替え回路５２と、スタンバイ状態に移行すると、レギュレターＩＣ７３の電源を第１電源供給部７１から第２電源供給部７２に切換える供給切り替え回路５３と、を備えて構成されている。
【００３５】
導通切り替え回路５２は、第２電源供給部７２とトランジスターＱ３のエミッターを介して接続され、フォトカプラー５１の発光部とトランジスターＱ３のコレクターを介して接続されている。また、導通切り替え回路５２は、メインコントローラー９６とトランジスターＱ２のベースを介して接続されている。そして、トランジスターＱ２のコレクターとトランジスターＱ３のベースはダイオードＤ６を介して接続されている。
そのため、通常動作状態では、トランジスターＱ２のベースにはハイレベルのＰ−ＯＮ_Ｈ２信号が入力されるため、トランジスターＱ３をオンし、フォトカプラー５１の発光部を導通させ、第２電源供給部７２からの出力電圧に応じたフィードバック信号をコントロールＩＣ８１に出力する。一方、スタンバイ状態では、Ｐ−ＯＮ_Ｈ２信号がローレベルとなるため、トランジスターＱ３がオフし、フォトカプラー５１の発光部をオープンにし、コントロールＩＣ８１にフィードバック信号を出力しない。その結果、コントロールＩＣは、スタンバイ状態に移行したことを判断し、一次側回路８０の発振を低下（場合によっては停止）させる。上記構成により、フィードバック回路５０は、本発明のスタンバイ状態移行回路としても作用する。
【００３６】
供給切り替え回路５３は、トランジスターＱ４と、このトランジスターＱ４のベースとグランドとの間に接続されたツェナーダイオードＤ７とを備えて構成されている。また、トランジスターＱ４のコレクターは抵抗を介して第２電源供給部７２に接続され、エミッターは、ダイオードＤ８を介してレギュレターＩＣ７３の入力側に接続されている。そして、コレクターとベースとは抵抗を介して自己バイアス接続されている。
そのため、Ｐ−ＯＮ_Ｈ２信号がローレベルに変化すると、フォトカプラー５１がオープン状態になるため、第２電源供給部７２からの出力電圧は全て供給切り替え回路５３に印加され、ツェナーダイオードＤ７を降伏する。その結果、トランジスターＱ４がオンし、第２電源供給部７２とレギュレターＩＣ７３とが導通する。ここで、スタンバイ状態では、第１電源供給部７１の出力電圧は７ボルト以下となっており、結果として、第２電圧供給部７２の出力電圧（７ボルト）がレギュレターＩＣ７３の電源として機能する。
【００３７】
＝＝＝各状態における動作制御回路と減電検出回路の動作＝＝＝
以下、表示装置１００の通常動作状態、及びスタンバイ状態における動作制御回路４０及び減電検出回路６０の動作を説明する。
【００３８】
表示装置１００のメイン電源が投入され、表示装置１００がスタンバイ状態から通常動作状態に移行すると、フィードバック回路５０にハイレベルのＰ−ＯＮ_Ｈ２信号が入力され、数ｍｓｅｃ後に、表示装置１００を構成する各部及び動作制御回路４０にハイレベルのＰ−ＯＮ_Ｈ１信号が入力される。この状態では、減電検出回路６０のトランジスターＱ１は、マイナス電圧ライン６１とプラス電圧ライン６２との電位差によりオフを維持している。一方、通常動作状態において瞬停が生じると、マイナス電圧ライン６１の電圧が変化しトランジスターＱ１がオンするため、減電検出回路６０は一次側回路８０のコントロールＩＣ８１にリセット信号を出力する。そのため、コントロールＩＣ８１は発振制御をリセットする。
【００３９】
次に、リモコン装置からの入力等により、表示装置１００がスタンバイ状態に移行すると、メインコントローラー９６は、Ｐ−ＯＮ_Ｈ１、Ｐ−ＯＮ_Ｈ２の順序で起動信号をローレベルに変化させる（図２）。そのため、まず、Ｐ−ＯＮ_Ｈ１信号がローレベルに変化することで、動作制御回路４０のダイオードＤ４のカソード側の電圧が低下する。そして、Ｐ−ＯＮ_Ｈ２信号がローレベルに変化することで、フィードバック回路５０からのフィードバック信号が停止し、コントロールＩＣ８１は一次側回路の発振を停止する。また、二次側回路７０では、レギュレターＩＣ７３への電源供給元が、第１電源供給部７１から第２電源供給部７２に切り替わる。その結果、減電検出回路６０ではマイナス電圧ライン６１の電圧のみが低下し、トランジスターＱ１にかかる電位差は高くなる。しかしながら、Ｐ−ＯＮ_Ｈ１信号がローレベルに変化しているため、アノード／カソード間の電位差によりダイオードＤ４に降伏電流を流し、トランジスターＱ１をオンさせない。そのため、減電検出回路６０はオフ状態を保持される。
【００４０】
さらに、スタンバイ状態から通常起動状態に移行する場合、まず、Ｐ−ＯＮ_Ｈ２信号がハイレベルに変化することで、コントローラーＩＣ８１の発振制御が開始され、二次側回路７０の出力電圧（負荷）が所定値まで上昇する。その後、Ｐ−ＯＮ_Ｈ１信号がハイレベルに変化し、ダイオードＤ４のカソード側電圧を上昇させる。そのため、減電検出回路６０のマイナス電圧ライン６１及びプラス電圧ライン６２は通常の電位差に戻り、二次側回路７０の負荷状態を瞬停と誤検出することはない。
【００４１】
以上、説明したように表示装置１００のスタンバイ状態において、減電検出回路６０の動作を停止させるため、減電検出回路６０が二次側回路７０の無負荷状態を瞬停と誤検出せず、正確に電源回路を動作させることができる。また、本実施形態では、Ｐ−ＯＮ_Ｈ１信号の信号変化に応じて、減電検出回路６０の動作を停止するため、マイナス電圧ライン６１やプラス電圧ライン６２の電圧を調整する必要がないため、より簡易な構成により本発明の機能を実現することができる。以上、第１の実施形態を説明した。
【００４２】
（２）その他の実施形態：
本発明は様々な変形例が存在する。画像出力装置の具体例は表示装置に限定されない。例えば、画像出力装置の一例として、メディアプレーヤーであってもよい。
【００４３】
また、動作制御回路をダイオードを用いて実現することは一例であり、スタンバイ状態に移行することで、減電検出回路の動作を停止する機能を有するものであればどのような構成であってもよい。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４５】
４０…動作制御回路、５０…フィードバック回路、５１…フォトカプラー、５２…導通切り替え回路、５３…供給切り替え回路、６０…減電検出回路、６１…マイナス電圧ライン、６２…プラス電圧ライン、６３…リセット信号出力部、７０…二次側回路、７１…第１電源供給部、７２…第２電源供給部、７３…レギュレターＩＣ、８０…一次側回路、９５…電源回路、９６…メインコントローラー、９７…ディスプレイ、９８…バックエンド部、９９…フロントエンド部、１００…表示装置
【図１】
0005413140.tif 000002
【図２】
0005413140.tif 000003
【図３】
0005413140.tif 000004